(57)【要約】【課題】複数の表示装置に遮光装置を装着した状態で、表示画像間の距離を短くする構造を提案すること。【解決手段】モニタ１、２は隣接して横並びに配置され、フード３はモニタ１、２の上面を覆う第１の遮光部（左天面部４ａ、右天面部４ｂ）と、左右両端の側面を覆う第２の遮光部（左側面フード５ａと右側面フード５ｂ）を備える。左天面部４ａと右天面部４ｂは回動可能に結合され、フード３の回動中心は、モニタ１、２の側縁部同士が接する部分、つまりベゼル垂直部１ｂ、２ｂの稜線の延長線上に位置する。左天面部４ａ、右天面部４ｂは、リンク構造体と該リンク構造体で囲まれた遮光シートを有し、リンク構造体を連結する回動軸６ａを中心に回動可能である。リンク構造体が保持する遮光シートは遮光性と伸縮性を有する。モニタ１、２が角度をなす配置で使用してもフード３はモニタ配置に追従して外光を遮光する。【選択図】図２
2012124628.tif 000002
【特許請求の範囲】
【請求項１】
隣接して配置される複数の表示装置の上面を覆う第１の遮光部と、該複数の表示装置の左右両端の側面を覆う第２の遮光部を備える遮光装置であって、
前記第１の遮光部を構成する前記複数の遮光部材は、リンク構造体と該リンク構造体で囲まれた遮光シートを有し、
前記リンク構造体は複数の支持部材を用いて矩形枠状に形成されて前記遮光シートを支持しており、
前記第１の遮光部は前記複数の遮光部材を回動可能に連結し、その回動中心を前記複数の表示装置の側縁部が接する稜線の延長線上に位置させる構造を有し、
前記第２の遮光部は、前記リンク構造体を構成する支持部材のうち、前記複数の表示装置の左右両端に位置する支持部材に固定されており、前記複数の表示装置の表示面が角度をなして配置されて前記複数の遮光部材が回動した状態では、前記表示面と直交する方向に対して当該表示面から離れる方向に傾いた状態になることを特徴とする遮光装置。
【請求項２】
前記遮光シートは、可視光に対する遮光性、及び伸縮性を有する弾性シートであることを特徴とする請求項１記載の遮光装置。
【請求項３】
前記複数の遮光部材を前記複数の表示装置に取り付ける取付部は、対をなす保持部によって前記表示装置の上部を挟持する構造を有し、前記保持部の間隔を調整する調整機構を備えることを特徴とする請求項１または２記載の遮光装置。
【請求項４】
前記複数の遮光部材は、前記複数の表示装置が側縁部で接する外装部材の上面を覆う第１の天面部と、該第１の天面部に対して前記表示装置の表示面に平行な方向に沿って相対的に摺動可能に支持された第２の天面部とからなる伸縮機構を有することを特徴とする請求項１ないし３のいずれか１項記載の遮光装置。
【請求項５】
前記第１及び第２の天面部をそれぞれ構成するリンク構造体は、前記表示装置の表示面に平行な方向に沿う支持部材および前記表示装置の表示面に直交する方向に沿う支持部材を用いて矩形枠状に形成されて遮光シートを支持し、
前記第１の天面部を構成するリンク構造体の支持部材には、その凹部内面に複数の摺接部材が配置され、前記第２の天面部を構成するリンク構造体の支持部材が前記摺接部材によりガイドされることを特徴とする請求項４記載の遮光装置。
【請求項６】
請求項１ないし５のいずれか１項記載の遮光装置を備えることを特徴とする表示装置。
【発明の詳細な説明】
【技術分野】
【０００１】
本発明は、複数の表示画面を見易くするために用いる遮光フード（シェード）に関するものである。
【背景技術】
【０００２】
テレビ画面やコンピュータ画面の表示、広告表示、医療用途などに画像表示装置が用いられる。表示画面を長時間注視する仕事、あるいは画像の質感や色彩などに関する創作や編集の作業で使用される画像表示装置では、使用環境、特に画面への外光の映り込みを使用者は煩わしいと感ずることがある。この対策として、画像表示装置に遮光フードを装着して、天井照明光や壁面反射光を遮光する方法が知られている。
【０００３】
図１２は従来の装置例を示し、医療従事者が２枚のレントゲン画像を比較するために複数台の画像表示装置を並べた状況を示す斜視図である。なお、モニタ１０１、１０２は液晶を用いた高精細度の表示部を有する。両者は同様の構成を有するので、一方のモニタ１０１だけを説明する。表示面１０１ａには、レントゲン画像を詳細に映し出し、また外光反射で見辛くないようにするため、反射防止処理を施している。ベゼル１０１ｂは表示部を保護する外装部品であり、樹脂を射出成形し、表面には反射防止のために凹凸処理（梨地処理）を施している。フードは天井照明光や壁面反射光を遮光する部材である。モニタ１０１の上部を覆う天面フード１０１ｃは室内天井からの照明光を遮光し、モニタ１０１の側部を覆う側面フード１０１ｄは室内壁面からの反射光などを遮光する。
図１２では左側のモニタ１０１と右側のモニタ１０２とが、水平面内の角度Ｎをなして出来る限り寄せて配置されている。その理由は下記の通りである。
・観察者の目に対して各表示面を正確に対向させ、２つの表示画像を比較できるようにするため。
・表示画像の水平間隔（距離Ａ参照）を出来る限り短くし、２つの表示画像を比較し易くするため（どこの部位が左右の画面でどう変化しているかを観察者が容易に視認できるようにするため）。
なお、下記の特許文献１には、遮光フードの天面部が伸縮可能で、様々なサイズモニタに装着可能な構成が開示されている。
【先行技術文献】
【特許文献】
【０００４】
【特許文献１】登録実用新案第０３０５７８５４号公報
【発明の概要】
【発明が解決しようとする課題】
【０００５】
図１２に示す構成では、外光を遮って表示画面を見易くするためのフード同士の干渉が問題となる。モニタ同士で側面フード１０１ｄと１０２ｄが接触しないようにするには、距離Ａを大きくとる必要があるので、２つの表示画像を極力近づけて比較したいという使用者の要請に応えられないという問題が生じる。換言すれば、使用者が距離Ａを短くしようとしてモニタ同士を近づけた場合、フードをモニタに装着できなくなってしまう。
そこで本発明は、複数の表示装置に遮光装置を装着した状態で、表示画像間の距離を短くする構造の提案を目的とする。
【課題を解決するための手段】
【０００６】
上記課題を解決するために本発明に係る装置は、隣接して配置される複数の表示装置の上面を覆う第１の遮光部と、該複数の表示装置の左右両端の側面を覆う第２の遮光部を備える遮光装置であって、前記第１の遮光部を構成する前記複数の遮光部材は、リンク構造体と該リンク構造体で囲まれた遮光シートを有し、前記リンク構造体は複数の支持部材を用いて矩形枠状に形成されて前記遮光シートを支持している。前記第１の遮光部は前記複数の遮光部材を回動可能に連結し、その回動中心を前記複数の表示装置の側縁部が接する稜線の延長線上に位置させる構造を有する。前記第２の遮光部は、前記リンク構造体を構成する支持部材のうち、前記複数の表示装置の左右両端に位置する支持部材に固定されており、前記複数の表示装置の表示面が角度をなして配置されて前記複数の遮光部材が回動した状態では、前記表示面と直交する方向に対して当該表示面から離れる方向に傾いた状態になる。
【発明の効果】
【０００７】
本発明によれば、複数の表示装置に遮光装置を装着した状態で、表示画像間の距離を短くすることができる。
【図面の簡単な説明】
【０００８】
【図１】図２乃至７と併せて本発明の第１実施形態を説明するために、遮光フードを装着した２台のモニタ例を示す概略斜視図である。
【図２】図１の遮光フードの動作を説明するために、モニタ画面の平面配置（Ａ）と、モニタ画面同士に角度をつけた状態（Ｂ）を示す概略図である。
【図３】図２の回動部（Ｂ部）の断面図である。
【図４】図２の角部（Ｃ部）を示す平面図（Ａ）と正面図（Ｂ）である。
【図５】図２の長辺バー１１（Ｄ部）の断面図である。
【図６】遮光フードの縦断面を示す概略図（Ａ）とＨ部の断面図（Ｂ）である。
【図７】図２のＧ部におけるモニタの概略断面図である。
【図８】図９乃至１１と併せて本発明の第２実施形態を説明するために、遮光フードを装着したモニタ例を示す概略斜視図である。
【図９】遮光フードの動作を説明する図である。
【図１０】遮光フードの中央部を示す断面図である。
【図１１】図９の遮光フードのＩ部断面図（Ａ）、Ｊ部断面図（Ｂ）、Ｋ矢視図（Ｃ）である。
【図１２】従来の装置例を示す概略斜視図である。
【発明を実施するための形態】
【０００９】
以下、本発明の各実施形態について添付図面を用いて説明する。尚、本発明は遮光装置と、該遮光装置を備えた表示装置に適用することができる。
【００１０】
［第１実施形態］
図１乃至７を用いて本発明の第１実施形態を説明する。
図１のように、画像表示装置は隣接したモニタ１（左側）およびモニタ２（右側）で構成される。モニタ１、２はその内部に液晶パネルを用いた表示面１ａ、２ａをそれぞれ有し、背面にある電気回路と共に外装部材で覆われている。表示面１ａ、２ａには表示画像を見易くするために、液晶パネルの表面に低反射処理が施されている。ベゼル垂直部１ｂ、２ｂは表示面１ａ、２ａの前面周囲をそれぞれ保護する外装部材の一部であり、その表面には反射防止のために梨地処理（粉き凹凸）が施されている。筐体内には液晶パネルのＣＯＦ（Chip On Film）などの信号線（図示せず）が収納されている。
フード３はモニタ１、２の上面を覆う第１の遮光部と、モニタ１、２の左右両端の側面を覆う第２の遮光部を備える。第１の遮光部を構成する遮光部材は、遮光性材料を素材として使用し、後述するリンク機構で繋がっている。フード３は両モニタの表示面１ａ、２ａに外光が入射しないように遮る。フード３の左天面部４ａは左モニタ１の上部に装着されて天井からの光を遮光する。また右天面部４ｂは右モニタ２の上部に装着されて天井からの光を遮光する。両者はフード３の中央部、つまりモニタ１と２との境界部付近で回動可能に結合している。側面フード５ａ、５ｂは、表示面１ａ、２ａに横方向からの光が入射しないように設けられた第２の遮光部である。これらは黒色アルマイト処理したアルミニウム板の内側に黒色のフェルトを接着して表示画面の光反射も防止する構造を有する。
【００１１】
図２はフード３の動作を説明する平面図であり、図２（Ａ）は破線で示すモニタ１、２の各表示面が同一平面上にある状態を示し、図２（Ｂ）はモニタ１、２が角度をつけて配置された状態を示す。
図２（Ａ）および図３（図２（Ａ）に示すＢ部の断面図）に示すように、回動軸６ａはフード３の中央部に位置し、左天面部４ａと右天面部４ｂとを回動可能に結合するための金属製の軸部品であり、先端に雄ネジが形成されている。ナット６ｂは回動軸６ａの先端部に取り付けられ、これらは左天面部４ａと右天面部４ｂを回動可能に支持する。上側の金具７は、回動軸６ａを上方で支持するための金属製の板材であり、左天面部４ａと右天面部４ｂの上面に位置する。また下側の金具８は左天面部４ａおよび右天面部４ｂとナット６ｂとの間に位置する金属製の板材であり、左天面部４ａおよび右天面部４ｂの下面に配置される。なお、図１、図２（Ｂ）では金具７，８の図示を省略している。
図２に示す支持部材１１、１２は平面で見て矩形枠状の４節リンク構造体を形成する。対をなす支持部材１１（以下、長辺バーという）はモニタの表示面に平行な左右方向に延びる。支持部材１２（以下、短辺バーという）は、図２（Ａ）では表示面に対して直交する方向に延び、図２（Ｂ）では当該方向に対して後述する角度（Ｅ／２）をなす方向に延びている。なお、左天面部４ａに係る４節リンク構造体の角部９ａ乃至ｄは、平面図で見て右前隅（９ａ）から反時計回り方向に沿って四角形の各頂点に位置する。また右天面部４ａに係る４節リンク構造体の角部１０ａ乃至ｄは、平面図で見て左前隅（１０ａ）から時計回り方向に沿って四角形の各頂点に位置する。図４には図２（Ａ）のＣ部を示し、図４（Ａ）に平面図、図４（Ｂ）に正面図を示す。また図２（Ａ）のＤ部の断面図を図５に示す。
【００１２】
長辺バー１１は４節リンク構造体を構成する金属製部品であり、ダイキャスト加工により断面形状がコ字状に形成されている。長辺バー１１の両端部には図４（Ｂ）に示す凸部１１ａが形成され、当該部分には穴あけ加工により貫通穴が形成されている。短辺バー１２も４節リンク構造体を構成する金属製部品であり、押し出し加工により断面形状がコ字状に形成されている。短辺バー１２の両端部には穴あけ加工により挿通穴が形成されている。つまり、図４（Ｂ）に示すように、長辺バー１１の凸部１１ａが短辺バー１２の凹部１２ａに挿合する。機構軸１３を短辺バー１２の挿通穴および長辺バー１１の貫通穴に通して機構軸１３の抜け止めを行うことにより、長辺バー１１と短辺バー１２が回動可能に連結される。尚、左天面部４ａと右天面部４ｂにおける結合部側の短辺バー１２には、回動軸６ａの貫通穴を有するフランジ（図示せず）が溶接されている。また、モニタ１、２の左右方向の外側面に位置する短辺バー１２には、左側面フード５ａと右側面フード５ｂがスポット溶接でそれぞれ固定されている。
【００１３】
図２（Ａ）にて、４節リンク構造体の角部９ａ乃至ｄの内角をそれぞれ∠９ａ乃至ｄと記すとき、∠９ａ＝∠９ｂ＝∠９ｃ＝∠９ｄ＝９０°である。例えば、角部９ａの内角は、前面側の長辺バー１１と右側の短辺バー１２とがなす角度に相当する。同様に、図２（Ａ）にて、４節リンク構造体の角部１０ａ乃至ｄの内角をそれぞれ∠１０ａ乃至ｄと記すとき、∠１０ａ＝∠１０ｂ＝∠１０ｃ＝∠１０ｄ＝９０°である。
図２（Ｂ）では、モニタ１、２が角度Ｅをもって相対的に斜めの状態で配置されており、各４節リンク構造体が平行四辺形をなしている。つまり、∠９ａ＝∠９ｃ、∠９ｂ＝∠９ｄ、∠１０ａ＝∠１０ｃ、∠１０ｂ＝∠１０ｄであり、いずれも９０°とは異なる（幾何学的関係については後述する）。
【００１４】
次に図４に示す長辺バー１１と短辺バー１２の連結について説明する。
機構軸１３は上部にツバを備え、長辺バー１１と短辺バー１２とを回動可能に連結するための金属製の軸部品である。機構軸１３は、短辺バー１２の凹部１２ａに長辺バー１１の凸部１１ａを差込んだ後、両者に形成した穴に挿通されてカシメで固定される。尚、長辺バー１１の凸部１１ａと短辺バー１２の凹部１２ａとの関係は逆にしてもよい。その場合、長辺バー１１の凹部に短辺バー１２の凸部を差込んだ後、機構軸１３が両者の穴に通されてカシメで固定される。
【００１５】
図５に示す接着剤１４は、長辺バー１１の凹部１１ｂと短辺バー１２の凹部（不図示）の内面にディスペンサーにより塗布される。接着剤１４には、クロロプレンゴムやニトリルゴムなどのゴム系接着剤が使用される。４節リンク構造体の保持する遮光シート１５は、可視光に対する遮光性及び伸縮性を有する弾性シートで矩形状に形成される。例えば、クロロプレンゴムやニトリルゴムなどのゴム素材に遮光性の高い顔料や、カーボンを練りこんだ伸縮性に富むゴムシートが使用される。遮光シート１５の周縁部は接着剤１４で長辺バー１１と短辺バー１２の凹部内面に固定される。
【００１６】
図６はフードおよびモニタの縦断面構造を示す。
リアカバー１６は、モニタ２の表示部と電気回路を収納する外装部材の一部をなし、金属薄板でプレス加工により所望の形状に成形され、ネジなどでモニタ２に組み付けられる。尚、モニタ１にも同形状のリアカバーが採用されている。
フード３をモニタに取り付ける取付部は、保持部１７、１８で各モニタの上部を挟持する構造を有する。前側の保持部１７および後側の保持部１８は、モニタ２の外装部材（ベゼル垂直部２ｂの上部およびリアカバー１６の上部）を挟むことで、フード３を各モニタの上端部に取り付けるための部材である。保持部１７には、厚み調整用の調整ネジ２０を締結する雌ネジが加工されており、上部には長辺バー１１を固定するための貫通穴が形成されている。尚、本構造はモニタ１についても同様である。
図６（Ｂ）は図６のＨ部を示す要部の断面図である。調整ネジ２０はモニタへの取り付け間隔を調整する調整機構を構成し、保持部１７と１８との間隔を変更するために操作される。保持部１８には調整ネジ２０用の長穴１８ａが形成されており、保持部１７には雌ネジ１７ａが形成されている。調整ネジ２０は、保持部１８の長穴１８ａを通して保持部１７の雌ネジ１７ａに螺合されて両者を結合する。作業者が調整ネジ２０を緩めた状態では、保持部１７と１８の間隔を変更できるので、フード３を外装厚みの異なる各種モニタに使用できる。固定ネジ２１は、長辺バー１１を保持部１７に取り付けるのに使用され、保持部１７に形成した挿通穴に下方から挿入され、長辺バー１１に形成した雌ネジに螺合する。
【００１７】
図７はフード３の回動中心１９を示す。モニタ１、２のベゼル垂直部１ｂ、２ｂの稜線上、つまり、前面から側面に回りこむ外装部材の側縁部が接する稜線の延長線上に回動中心１９が位置する。これはモニタ同士がなす角度Ｅの中心である。
【００１８】
次に、フード３の使用方法を説明する。
使用者はまず、モニタ１のベゼル垂直部１ｂとモニタ２のベゼル垂直部２ｂの側面同士が接するように並べる。次に、モニタ１、２の表示面１ａ、２ａがほぼ同じ平面に並ぶように調節する（図２（Ａ）参照、角度Ｅ＝０°）。使用者はフード３を取り出して、保持部１７と１８の間に、左モニタ１と右モニタ２の上部をそれぞれ挿入した後、保持部１８の調整ネジ２０を操作してフード３を両モニタに固定する。
【００１９】
次にフード３を構成する４節リンク構造体の動きについて説明する。
使用者は自らが使い易い向きにモニタ１、２を並べて、表示面１ａと２ａとの間になす角度を付ける。この際、フード３の左天面部４ａと右天面部４ｂはモニタ１、２の上部にそれぞれ固定されているので、ベゼル垂直部１ｂと２ｂの密着部分には隙間が生じないように規制されている。使用者は図２（Ｂ）に示すように、所望の角度Ｅに調整して作業を終了する。
表示面１ａ、２ａの角度を付ける動作により、フード３は以下のような動きをする。図２（Ａ）では各モニタの表示面がほぼ同一平面上に並んだ状態である。回動軸６ａはフード３の回動中心１９、つまりベゼル垂直部１ｂ、２ｂが側面で接する稜線の延長線上にある。また、回動軸６ａに接する短辺バー１２同士は、モニタの表示面１ａ、２ａに対して垂直な方向を向いて、互いに平行に並んでいる。フード３の左天面部４ａおよび右天面部４ｂにて短辺バー１２と長辺バー１１は長方形を形成し、内角はいずれも９０度である。よって各短辺バー１２に接合している左側面フード５ａと右側面フード５ｂは、モニタ１、２の各表示面１ａ、２ａに対して９０°をなして垂直に延びる状態で外光を遮断する。
【００２０】
相対的に角度をなすように配置したモニタ１、２の場合、図２（Ｂ）、図７に示すように、表示面同士は角度（１８０°−Ｅ）をなした状態になる。つまりフード３の回動軸６ａを中心に角度Ｅをもってモニタ１、２が配置され、ベゼル垂直部１ｂ、２ｂの稜線同士が接する状態である。左天面部４ａでは短辺バー１２と長辺バー１１が平行四辺形を形成し、∠９ａ＝∠９ｃ＝９０°＋Ｅ／２である。右天面部４ｂでは短辺バー１２と長辺バー１１の成す角度は、∠１０ａ＝∠１０ｃ＝９０°＋Ｅ／２となる。よって、左側面フード５ａがモニタ１の表示面１ａに対してなす角度をＦａとし、右側面フード５ｂがモニタ２の表示面２ａに対してなす角度Ｆｂとすると、Ｆａ＝Ｆｂ＝９０°＋Ｅ／２となる。すなわち左側面フード５ａと右側面フード５ｂは、モニタ１、２の表示面１ａ、２ａに対して垂直な方向よりも「＋Ｅ／２」の角度だけ傾いて開いた状態になり、角度Ｆａ、Ｆｂで外光を遮断する。尚、フード３の遮光シート１５は伸縮性の高いゴム製であるため、短辺バー１２と長辺バー１１の成す角度が変わっても形状変形に追従可能であり、任意の角度Ｅにおいて天井方向からの光を遮断できる。
【００２１】
以上に説明した構成をまとめると、以下のようになる。
１．モニタ１、２に装着するフード３は左右方向で２分割され、左天面部４ａと右天面部４ｂが回動機構で連結され、任意の角度で回動可能であること。
２．フード３の回動中心１９は、モニタ１、２の各ベゼル垂直部１ｂ、２ｂの側縁部が接する稜線（モニタ前面から側面に回りこむ外装部材の稜線）の延長線上に位置すること。
３．上記回動機構は、左天面部４ａと右天面部４ｂを金具７、８で挟み、回動軸６ａを貫通させた構造をもつこと。
４．左天面部４ａ、右天面部４ｂはいずれも２本ずつの長辺バー１１と短辺バー１２と遮光シート１５で構成され、機構軸１３を用いてリンクバー同士が回動可能に連結されていること。
５．長辺バー１１、短辺バー１２はコ字形断面をもち、両端部に凹部や凸部を形成した両者を挿合させて連結部が形成されること。
６．回動軸６ａ側の短辺バー１２には、該回動軸６ａの貫通穴を有するフランジが溶接で固定され、また左右側面側の短辺バー１２には、左側面フード５ａと右側面フード５ｂがそれぞれ溶接で固定されていること。
７．遮光シート１５は遮光性と伸縮性をもつ弾性シートで形成され、その周縁部を長辺バー１１と短辺バー１２の凹部に接着剤１４で固定したこと。
８．長辺バー１１の下側に設けた保持部１７と１８でモニタ１、２の外装部材の上部を挟持する構造とし、更に保持部１８には、保持部１７との間隔を調整する調整機構が設けられていること。
【００２２】
以上の構成により、本実施形態では以下の効果を奏する。
１．複数のモニタを密着して並べた状態で遮光フードを装着し、外光が表示画面に映りこまないように防止できるので、使用者は表示画面が見易く、表示画像を比較し易い。
２．使用者はモニタの表示画面同士を近づけた状態で表示画面の向きを任意の角度で変更できるため、視野角特性による各表示画面の色や明るさの変化がなく、表示画像を比較する際の作業性が向上する。
３．従来のフードを装着した２台のモニタを密着させたまま、表示画面の向きを変更した場合、左右側面のフードが内向きに寄ってしまう（図１２参照）。このため、モニタ前の作業スペースが狭くなってしまう場合や、複数人で表示画面を見る場合に横方向からではフードで画面の一部が見えない場合がある。これに対して本実施形態では、表示画面につけた角度に応じて左右側面のフードが外向きに開くので（図２参照）、上記の問題を解消できる。つまり、各モニタの表示画面を使用者側に向けても、左右側面のフードは内向きに寄らないので、モニタ前の作業スペースが確保でき、横方向から見ても左右側面のフードが邪魔にならない。
４．フードの取付部でモニタ上部を挟む構造としたため、幅の異なるモニタ機種同士でも使用できるので汎用性が高く、利便性が向上する。
尚、本実施形態は３台以上のモニタにおいても適用可能である。フードを３以上に分割して各部を回動可能に結合し、更に天面部のリンク機構、遮光構造、およびモニタへの取り付け構造を実現すれば、リンク構造体の変形および遮光シートの伸縮によってフードの形状をモニタ配置に追従させることができる。
【００２３】
［第２実施形態］
次に本発明の第２実施形態を説明する。尚、第１実施形態と同様の構成部品や機能については、既に使用した符号を用いることにより、その詳細な説明を省略する。
図８に示すモニタ１、２の上部に装着されたフード３０は、後述のリンク機構及び伸縮機構を有し、各モニタの表示面への外光入射を防ぐ。フード３０の中央部に位置する左天面部３１ａ、右天面部３２ａは、モニタ同士が側縁部で接する外装部材の上面を覆う第１の天面部であり、遮光部材を用いて構成される。両者はフード３の中央部付近で回動可能に結合している。また左天面部３１ｂ、右天面部３２ｂはモニタ１、２の表示面に平行な方向に沿う第２の天面部であり、遮光部材を用いて構成され、左天面部３１ａ、右天面部３２ａに対してそれぞれ相対的に摺動可能である。
【００２４】
図９に示すように、左天面部３１ａ、右天面部３２ａはそれぞれに２対のバー３３、３４を用いて矩形状の４節リンク構造体として構成される。モニタの奥行き方向にて互いに平行に延びる２つのバー３３は金属製であり、押し出し加工によりコ字状の断面をもち、両端部には穴あけ加工により角部が形成されている。尚、図１０に示すように、左天面部３１ａと右天面部３２ａとの結合部側に位置する各バー３３には、フランジ３３ａが溶接されている。フランジ３３ａは回動軸６ａの貫通穴を有し、左天面部３１ａと右天面部３２ａを構成する各バー３３については、各フランジの位置を上下にずらしている。
モニタ表示面に平行な方向に沿って延びる２つのバー３４は金属製であり、ダイキャスト加工によりコ字形の断面をもつ。その両端部には凹部が形成され、更に穴あけ加工によりリンク構造体の角部が形成されている。バー３３、３４で構成される４節リンク構造体は四角形を形成し、図９の平面図にて４つの角部をもつ。左天面部３１ａを構成するリンク構造体の角部３５は左モニタ１の前方右付近に位置し、角部３６は角部３５の対角側にあり、左モニタ１の後方に位置している。また右天面部３２ａを構成するリンク構造体の角部３７は右モニタ２の前方左付近に位置し、角部３８は角部３７の対角側にあり、右モニタ２の後方に位置している。遮光シート３９、４０は、クロロプレンゴムやニトリルゴムなどのゴム素材に遮光性の高い顔料やカーボンを練りこんだ伸縮性に富むゴムシートである。遮光シート３９、４０の周縁部は後述の接着剤４４（図１１（Ａ）参照）でバー３３、３４に固定されている。
左天面部３１ｂ、右天面部３２ｂは短辺バー４１と長辺バー４２を用いた４節リンク構造体として構成される。短辺バー４１は金属製部材であり、プレス加工により矩形断面の板状に形成され、両端部には長辺バー４２との連結部が設けられて貫通穴が形成されている。モニタ１、２の左右の側面側に位置する短辺バー４１には、第１実施形態の場合と同様に、左側面フード５ａと右側面フード５ｂがスポット溶接でそれぞれ固定されている。また長辺バー４２は金属製部材であり、プレス加工により矩形断面の板状に形成され、両端部には短辺バー４１との連結部が形成されている。この連結部には雌ねじ加工がなされ、リンク構造体の角部を構成する。
【００２５】
図１１（Ａ）は図９に示すＩ部の拡大断面図である。長辺バー４２はバー３４の凹部内に受け入れられて摺動可能である。
バー３４の凹部には、摺接部材４３ａ、４３ｂが不図示の皿ネジで固定されている。互いに対向した摺接部材４３ａ、４３ｂには、摩擦係数の小さいＰＯＭ（ポリオキシメチレン）やポリテトラフルオロエチレンなどの樹脂板が使用され、長辺バー４２が摺動する際のガイド部材として当該バーの動きを滑らかにするための部材である。
遮光シート３９、４０はバー３４、３３の凹部内面に接着剤４４で固定されている。接着剤４４は、各バーの凹部内面にディスペンサーによって塗布される、クロロプレンゴムやニトリルゴムなどのゴム系接着剤である。なお遮光シート１５は接着剤１４によって短辺バー４１、長辺バー４２にそれぞれ固定されている。
図１１（Ｂ）は図９に示すＪ部の拡大断面部であり、図１１（Ｃ）は図９に示すＫ矢視での拡大図である。
段付きネジ４５はツバ部と回転摺動部と雄ネジ部からなり、下部にツバを備えて、短辺バー４１と長辺バー４２を回動可能に連結するための金属製軸部品である。短辺バー４１と長辺バー４２の両端部に形成した連結部同士を係合させた後で、段付きネジ４５は短辺バー４１の挿入穴に下側から挿通され、長辺バー４２の雌ネジに螺合されて締結固定される。この連結部はリンク構造体の角部をなし、短辺バー４１と長辺バー４２は相対的に回動可能である。
【００２６】
次に、フード３０の動きについて説明する（図９および第１実施形態の図２を参照）。
モニタ１、２の表示面同士の角度に対応する左天面部３１ａ、右天面部３２ａのリンク構造体の動きについては第１実施形態の場合と同様であるので説明を省略する。
図２に示すように、モニタ１、２が角度Ｅをもって表示面を相対的に傾けて配置した状態でフード３０がモニタ１、２に取り付けられた状態を想定する。この場合、左天面部３１ａのリンク構造体の角部３５、３６は、それらの内角が、∠３５＝∠３６＝９０°＋Ｅ／２となる。また右天面部３２ａのリンク構造体の角部３７、３８は、それらの内角が∠３７＝∠３８＝９０°＋Ｅ／２となる。図９で示すように、モニタの奥行き方向におけるリンク構造体の距離ＬはＥ＝０°の場合よりも短くなる。するとバー３４のコ字状凹部に嵌合する長辺バー４２が追従し、天面部３１ｂ、３２ｂのリンク構造体の距離Ｍ（モニタの奥行き方向における距離）がＥ＝０°の場合に比べて縮むことになる。左天面部３１ｂ、右天面部３２ｂのリンク構造体は平行四辺形となって、左右側面に位置する短辺バー４１に固定されている左側面フード５ａと右側面フード５ｂの向きが変わる。左側面フード５ａがモニタ１の表示面１ａに対してなす角度をＦａとし、右側面フード５ｂがモニタ２の表示面２ａに対してなす角度をＦｂとすると、Ｆａ＝Ｆｂ＝９０°＋Ｅ／２となる。つまり、左側面フード５ａと右側面フード５ｂは、表示面１ａ、２ａに対する垂直方向よりも「＋Ｅ／２」だけ側方にそれぞれ開いた状態になり、角度Ｆａ、Ｆｂで外光を遮断する。
【００２７】
次にフード３０の左天面部３１ｂ、右天面部３２ｂに関するスライド動作について説明する。
図１１（Ａ）に示すように左天面部３１ａ、右天面部３２ａのバー３４の凹部内面には摺接部材４３ａ、４３ｂが対向して取り付けられている。左天面部３１ｂ、右天面部３２ｂの長辺バー４２は摺接部材４３ａと４３ｂとの間で摺動可能である。よって、左天面部３１ｂ、右天面部３２ｂは左天面部３１ａ、右天面部３２ａに対して、モニタ１、２の表示面１ａ、２ａに平行な方向に沿って相対的に移動可能である。モニタ１、２の大きさ（左右方向の横幅）が変わった場合や、モニタの画面を縦配置から横配置に変更した場合（ローテーション機構を有する表示装置）などにおいて、本構造によりフード３０の横幅を調整できる。第２実施形態でも第１実施形態の場合と同様に、モニタの上部を挟持する取付構造を長辺バー４２が有している。左天面部３１ｂ、右天面部３２ｂはモニタへの取付位置に追従し、左天面部３１ａ、右天面部３２ａに対して相対的に横幅方向へ移動できる。その際、低摩擦素材を用いた摺接部材４３ａ、４３ｂの効果により、長辺バー４２は円滑に摺動できる。
【００２８】
第２実施形態の構成について、第１実施形態との相違点をまとめると以下のようになる。
１．モニタ１、２の上部に装着するフード３０の天面部を左右方向にて４分割し、中央寄りの左天面部３１ａと右天面部３２ａを回動可能に結合したこと（図１０参照）。
２．左天面部３１ａ、右天面部３２ａは、夫々２本のバー３３、３４及び遮光シート３９、４０で構成し、バー同士が回動可能に連結されていること。
３．左天面部３１ａ、右天面部３２ａに対して、左天面部３１ｂ、右天面部３２ｂがそれぞれ相対的に摺動可能であり、伸縮機構によりフード３０の幅が可変であること。
４．左天面部３１ａ、右天面部３２ａのバー３４にはその凹部内面に摺接部材４３ａ、４３ｂが固定されていること。
５．左天面部３１ｂ、右天面部３２ｂはそれぞれ、２本の短辺バー４１と２本の長辺バー４２及び遮光シート１５で構成され、段付きネジ４５を用いてバー同士が回動可能に連結されていること。
第２実施形態によれば、第１実施形態の効果に加えてさらに汎用性が高まる。すなわち、フードの天面部を４分割して幅方向に伸縮可能にしているため、モニタの大きさ（横幅）が変わっても使用可能である。また、同じモニタの画面を縦配置で使用する場合と横配置で使用する場合のいずれにも対応できるので使用者の利便性が向上する。
【符号の説明】
【００２９】
１，２  モニタ
１ａ，２ａ  表示面
３  フード
４ａ，４ｂ  天面部
５ａ，５ｂ  側面フード
６ａ  回動軸
１１，１２  バー
１５  遮光シート
１７，１８  保持部
１９  回動中心
２０  調整ネジ
３０  フード
３１ａ，３２ａ  第１の天面部
３１ｂ，３２ｂ  第２の天面部
３９，４０  遮光シート
４３ａ，４３ｂ  摺接部材
【図１】
2012124628.tif 000003
【図２】
2012124628.tif 000004
【図３】
2012124628.tif 000005
【図４】
2012124628.tif 000006
【図５】
2012124628.tif 000007
【図６】
2012124628.tif 000008
【図７】
2012124628.tif 000009
【図８】
2012124628.tif 000010
【図９】
2012124628.tif 000011
【図１０】
2012124628.tif 000012
【図１１】
2012124628.tif 000013
【図１２】
2012124628.tif 000014